(57)【要約】【課題】  粘着テープや接着剤を一切用いず、単に濡らすだけでガラス・タイル等に貼着して使用することのできる印刷物を提供する。【解決手段】  合成紙の表裏両面に印刷（１１１，１１２，１２１，１２２）を施して成ることを特徴とする濡らしてガラス・タイル等に貼着して使用するための印刷物（１１，１２）である。使用目的に応じて、合成紙は非透水性のものを用いることが推奨され、表面に問題、裏面に解答を印刷したものや、二つ折りにされ、その外面に問題、合わせ面に解答を印刷したもの、或いはまた、表面又は裏面の少なくとも一方には広告、案内図等を印刷したもの、等々、利用目的に応じて様々な形態のものとすることが可能である。剥がし易くするために、一隅に折曲げ部（１１３，１２３）を設けることも推奨される。【選択図】  図１
2006346076.tif 000002
【特許請求の範囲】
【請求項１】
合成紙の表裏両面に印刷を施して成ることを特徴とする濡らしてガラス・タイル等に貼着して使用するための印刷物。
【請求項２】
合成紙が非透水性であることを特徴とする請求項１に記載の印刷物。
【請求項３】
表面に問題、裏面に解答を印刷したことを特徴とする請求項１に記載の印刷物。
【請求項４】
一隅に折曲げ部を設けたことを特徴とする請求項１に記載の印刷物。
【請求項５】
二つ折りにされ、その外面に問題、合わせ面に解答を印刷したことを特徴とする請求項１に記載の印刷物。
【請求項６】
表面又は裏面の少なくとも一方には広告を印刷したことを特徴とする請求項１に記載の印刷物。
【請求項７】
表面又は裏面の少なくとも一方には案内図を印刷したことを特徴とする請求項１に記載の印刷物。
【請求項８】
合成紙の表面に複数の図柄を印刷し、裏面には表面の各図柄に対応する文字を各図柄ごとに印刷すると共に、合成紙自体には上記各図柄に沿って切り取り可能なように切れ目を形成したことを特徴とする請求項１に記載の印刷物。
【請求項９】
請求項１乃至８のいずれかに記載の印刷物と、当該印刷物を濡らして貼着し得る遊戯ボードとから構成されたことを特徴とする遊戯具。
【請求項１０】
上記遊戯ボードが透明であることを特徴とする請求項９に記載の遊戯具。
【発明の詳細な説明】
【技術分野】
【０００１】
本発明は、濡らしてガラス・タイル等に貼着して使用するための印刷物及びこれを用いた遊戯具に関するものである。
【背景技術】
【０００２】
従来、幼児に仮名を覚えさせるために、積み木状の四角い板の表面に身近な動植物や乗物等の図柄を印刷し、その裏面にそれらの動植物等の名前や頭文字を印刷した教材タイプの遊戯具が広く知られている。
然しながら、この遊戯具は製造コストも高く、持ち運ぶにも重いため、その使用場面が限られていた。
また、例えば下記の特許文献１には、幼児や児童が絵柄と文字を見ながら英単語の読み方を自然に覚えることができるように、一側面に動物、果物、人物などの絵柄がプリントされ、他側面には前記絵柄を意味するローマ文字欄及び該ローマ文字欄にその音を併記した仮名文字欄が設けられた英単語教材用カードが開示されている。
このような教材用カードについては、特許文献１のものに限らず、各種各様のものが提案され、実用化されている。
然しながら、それらの教材用カードにおいて、答えを確認する作業は手元でカードを単に裏返して見るだけで、面白味に欠け、飽き易いという問題があった。
【０００３】
【特許文献１】特開２００２−０２３６１６号公報
【０００４】
他方、紙やビニールシート等の表面に標識、広告等を印刷し、裏面には接着剤を塗布して、壁やガラスに貼り付け易くしたラベルやポスター等も広く利用されている。
然しながら、これらのラベル等は一度剥がすと紙自体が破れてしまったり、改めて両面粘着テープ等を用いて貼り付ける必要があり、繰り返し貼ったり剥がしたりする必要のある用途には適していなかった。
【発明の開示】
【発明が解決しようとする課題】
【０００５】
本発明は、上記の問題点を解決するためなされたものであり、その目的とするところは、幼児等の教育玩具として適用したときは、前記積み木タイプのものに比べて数百分の一程度に軽く、持ち運びが容易であると共に、大量生産が可能であるため安価で、しかも、使用方法がユニークであるため飽きられることのない教育玩具としての印刷物を提供でき、また、広告媒体や案内図、ポスター等として適用するときは、押しピンや粘着テープ、接着剤等を一切使用する必要がなく、従って、従来の接着剤を塗布したものに比べて安価であると同時に、貼ったり剥がしたり何回でも繰り返して使用可能で、剥がした後が汚れることもない印刷物を提供することにある。
【課題を解決するための手段】
【０００６】
上記の目的は、合成紙の表裏両面に印刷を施して成ることを特徴とする濡らしてガラス・タイル等に貼着して使用するための印刷物によって達成できる。
【０００７】
その場合において、使用目的に応じて、合成紙は非透水性のものを用いることが推奨されると共に、表面に問題、裏面に解答を印刷したものや、二つ折りにされ、その外面に問題、合わせ面に解答を印刷したもの、或いはまた、表面又は裏面の少なくとも一方には広告、案内図等を印刷したもの、等々、利用目的に応じて様々な形態のものとすることが可能である。
剥がし易くするために、一隅に折曲げ部を設けることも推奨される。
【０００８】
また、合成紙の表面に複数の図柄を印刷し、裏面には表面の各図柄に対応する文字を各図柄ごとに印刷すると共に、合成紙自体には上記各図柄に沿って切り取り可能なように切れ目を形成し、使用時に各図柄のものを切り取って利用するようにすることも可能である。
【０００９】
更にまた、本発明の前記目的は、上記の如き印刷物と、当該印刷物を濡らして貼着し得る遊戯ボードとから成るセットとして構成された遊戯具によっても達成できる。
当該遊戯ボードを透明とすることも推奨される。
【発明の効果】
【００１０】
上記の如き構成を有する本発明に係る印刷物は、これを水に濡すだけで、ガラスやタイル等の表面の平滑な物体の表面に容易に貼り付けることが可能であると共に、これを引き剥がすことも極めて容易である。
そのため、例えば、合成紙の表面に動植物や乗物等の図柄を印刷し、裏面にそれらの動植物等の名前や頭文字を印刷した本発明の印刷物カードを、水に濡して浴室の壁面のタイルに図柄の方が見えるようにして貼り付け、幼児に図柄を見せてその動物等の名前の文字を指で手のひら等に書かせ、それが正しいかどうかを、タイルから印刷物カードを剥がしてその裏面を見て確認することで、一種の教育玩具として利用することができる。
非透水性の合成紙であれば、濡らしてタイル等に貼り付けると、合成紙とタイルの間の水は蒸散することなく、１か月程度は貼り付いたままの状態が維持されるので、入浴するつど、壁面に貼られた印刷物カードを利用して、楽しみながら文字を覚えることができる。
また、接着剤や粘着剤は一切用いられておらず、単に水に濡らして貼り付けるだけであるので、何度でも貼ったり剥がしたりすることが自由であり、剥がしたあとにタイル等の表面に接着剤が残るということもなく、印刷物カードが傷つくということもない。保管時には、乾かして袋や箱に入れておけばよく、紙製品であるので薄く軽く、持ち運びも極めて容易である。
【００１１】
また、合成紙の表面又は裏面の少なくとも一方に広告を印刷し、これを水に濡らして店舗のショーウインドウ、間仕切り、扉等のガラスに貼り付けて、広告媒体として使用することができる。例えば、短期間で特売品を変更するスーパーストア等においては、容易に付け替えが可能な広告宣伝媒体として好適に使用することができる。この場合においても、剥がしたあとにガラスの表面に接着剤が残るということがなく、それらの拭き取り作業を行う手間が節減できる。
広告の代わりに、テーマパークやイベント会場の案内図を印刷し、最寄りの施設のガラス戸等に貼り付けることも可能であり、その場合も、非透水性の合成紙を用いれば、１か月程度は貼ったままの状態を維持することができる。
これらの場合、合成紙の表面と裏面に、互いに異なった図柄等を印刷してもよいし、同じ図柄等を印刷してもよい。
【００１２】
従って、本発明によるときは、教材用カードや広告媒体等として好適に利用し得るシンプル・イズ・ベストな印刷物を提供できる。
【発明を実施するための最良の形態】
【００１３】
以下、図面に示す実施例を参照しつつ、本発明を実施するための最良の形態について説明する。
【実施例】
【００１４】
図１は、本発明に係る印刷物の一実施例を示す説明図、
図２は、本発明に係る印刷物を水に濡らしてガラス等の表面に貼り付けた状態を示す断面図、
図３は、本発明に係る印刷物のもう一つの実施例の片側の面を示す説明図、
図４は、図３に示した印刷物のもう一方の面を示す説明図、
図５は、本発明に係る印刷物の更にもう一つの実施例を示す説明図である。
【００１５】
まず、図１に示す実施例から説明する。
図１には、本発明に係る印刷物で、教育玩具としてのカード１１（Ａ図参照）及び１２（Ｂ図参照）が示されている。
図示する如く、カード１１の表面には「金魚」の図柄１１１が印刷され、その裏面には「きんぎょ」という平仮名と「Goldfish」という英語名から成る名称１１２が印刷されている。同様に、カード１２の表面には「いか」の図柄１２１が印刷され、その裏面には「いか」という平仮名と「Squid 」という英語名から成る名称１２２が印刷されている。
【００１６】
これらのカードの用紙としては、合成紙が使用され、望ましくは非透水性のものが用いられる。
合成紙は、合成樹脂を紙状にしたもので、フィルム法若しくはファイバー法により製造され、耐水性を有する。
本発明において用いる合成紙は表面への印刷性能が良好なものであれば、任意のものを利用し得る。
具体的には、例えば、株式会社ユポ・コーポレーション（旧：王子油化合成紙株式会社）製の合成紙「ユポ（商品名）」が利用でき、当該合成紙は、ポリプロピレン樹脂を縦横２軸方向へ延伸した基層と、その両面にポリプロピレン樹脂を横軸方向へ延伸した表面層を密着させた３層構造のもので、延伸時に生じる微小な空孔を有する多孔質性の合成紙である。
【００１７】
上記カード１１及び１２（この２枚以外にも、他の動物等を描いた多数の同様のカードが用意され、それらがセットになって使用される。）を使用する場合には、例えば入浴時に、これらのカードを水に濡して浴室の壁面のタイルに図柄の方が見えるようにして貼り付け、幼児に図柄を見せながらその動物等の名前の文字を指で手のひら等に書かせ、それが正しいかどうかを、タイルから印刷物カードを剥がしてその裏面を見て確認するようにする。従って、この実施例の場合、表面の図柄が問題、裏面の文字が解答ということになる。
なお、図示した例においては、カードを剥がし易くするために、カードの一隅を折り曲げて、折曲げ部１１３、１２３が形成されている。
図２には、上記カード１１を濡らして、タイル２に貼り付けた状態が断面図で示してある。
勿論、浴室以外でも使用でき、ガラス窓や、冷蔵庫その他の家具の表面に貼り付けて使用するようにしてもよい。
【００１８】
図３及び図４に示した本発明に係る印刷物は、Ａ３版程度のサイズの合成紙１の表面に図３に示すような複数の動物の図柄を印刷し、その裏面には、図４に示すように、表面の各図柄に対応する文字を各図柄ごとに印刷し、更に、合成紙１自体に上記各図柄に沿って切り取り可能なように切れ目１１０、１２０を形成したものである。切れ目１１０に沿って切り取ることにより「金魚」のカード１１が得られ、切れ目１２０に沿って切り取ることにより「いか」のカード１２が得られるようになっている。他の動物のカードについても同様であり、このようにして切り取った各カードの使用方法は、前記図１に示した実施例の場合と同様である。
このように、ジャンルごとに複数のカードをセットとして用意することにより、動物園ごっこ、水族館ごっこ、果物屋さんごっこなどの遊びをしながら、文字を学習することができる。
【００１９】
なお、これらの印刷物カードと共に、これを濡らして貼り付けるプラスチック板、ガラス板等から成る遊戯ボードも一緒にセットとし、一組の遊戯具として提供するようにしてもよい。この場合のプラスチック板等から成る遊戯ボードとして透明なものを使用すると、貼り付けられたカードを剥がさずに、ボードの裏側を見ることにより答を確認することができる。
また、セットにされたカードが魚類の場合には、上記遊戯ボードに海の背景画を描いたものを用いたり、カードが陸上動物の場合には、遊戯ボードに動物園の園内地図と各動物の収容施設を描いたものを用いるようにすることも推奨される。
【００２０】
図５には、本発明に係る印刷物の更に異なった実施例が示されている。
この印刷物１３は、折り目１３０において二つ折りにされ、折られたときの外面１３ａ及び１３ｂに問題が印刷され、折られたときに内側になる合わせ面１３ｃ及び１３ｄに解答が印刷されている。
より具体的には、外側の面１３ａに印刷された問題の解答を、内側の面１３ｃに印刷し、もう一方の外側の面１３ｂに印刷された問題の解答を、内側の面１３ｄに印刷するようにする。
使用時には、この印刷物１３全体を水に濡らし、内側の面１３ｃと１３ｄとが貼り付いてそれらの面に印刷された解答が見えない状態としておき、外側の面１３ａに印刷された問題を見て考え、その解答を確認するときは、面１３ａをめくって面１３ｃの解答を見るようにする。同様に、面１３ｂに印刷された問題を見て考え、その解答を確認するときは、面１３ｂをめくって面１３ｄの解答を見るようにする。
【００２１】
本発明において、合成紙の表面の印刷は、印刷業者のオフセット印刷機その他業務用の本格的な印刷機で印刷したものに限らず、耐水性のインクであれば、パーソナルコンピュータ等の出力機器として用いられている通常の小型のプリンタで印刷したものも広く包含する。
【００２２】
なお、上記各種実施例においては、比較的短期間に貼ったり剥がしたりする例について述べてきたが、合成紙として前記の如く非透水性の用紙を用いれば、貼り付けた面から大気中への水の蒸散が防止されるので、１か月程度は貼り付いた状態が保たれる。従って、本発明は、例えば映画、演劇のポスター、大相撲夏場所等の番付表、季節限定旅行案内ポスター、各種イベントポスター、浴室用カレンダー、予定表、週間成績記録表等々にも広く適用し得るものである。
【産業上の利用可能性】
【００２３】
本発明は以上の如く構成されるから、本発明によるときは、幼児等の教育玩具として適用したときは、軽くて持ち運びが容易であると共に、大量生産が可能であるため安価で、しかも、使用方法がユニークであるため飽きられることのない教育玩具としての印刷物を提供でき、また、広告媒体や案内図、ポスター等として適用するときは、押しピンや粘着テープ、接着剤等を一切使用する必要がなく、従って、従来の接着剤を塗布したものに比べて安価であると同時に、貼ったり剥がしたり何回でも繰り返して使用可能で、剥がした後が汚れることもない、シンプル・イズ・ベストな印刷物を提供し得るものである。
【図面の簡単な説明】
【００２４】
【図１】本発明に係る印刷物の一実施例を示す説明図である。
【図２】本発明に係る印刷物を水に濡らしてガラス等の表面に貼り付けた状態を示す断面図である。
【図３】本発明に係る印刷物のもう一つの実施例の片側の面を示す説明図である。
【図４】図３に示した印刷物のもう一方の面を示す説明図である。
【図５】本発明に係る印刷物の更にもう一つの実施例を示す説明図である。
【符号の説明】
【００２５】
１      合成紙
１１，１２  印刷物カード
１１０，１２０  切れ目
１１１，１１２  図柄（問題）
１１２，１２２  文字（解答）
１１３，１２３  折曲げ部
１３    印刷物
１３ａ，１３ｂ  外面
１３ｃ，１３ｄ  合わせ面
２      タイル
【図１】
2006346076.tif 000003
【図２】
2006346076.tif 000004
【図３】
2006346076.tif 000005
【図４】
2006346076.tif 000006
【図５】
2006346076.tif 000007